(57)【要約】【課題】宙乗機での作業の際、電線付属品や工具が飛散したり落下してもこれらをすべて捕集できる、落下物防止装置を提供する。【解決手段】宙乗機Ｂの座板Ｂ３の周囲に取り付ける水平フレーム１と、当該水平枠体１の左右の前方に立設した側面フレーム２と、当該左右の側面フレーム２の前端の間に設けた前面枠体３と、前記水平フレーム１の左右後端に立設した後端支柱４と、前記各側面フレーム２の前端柱２ａの上端と前記各後端支柱４の上端に前後の支柱を接続した天蓋枠体５と、これらの枠体や支柱を被うネット６から成り、前記前面枠体３は中央部で縦に二分され、当該二分された各端縁部に、上下に複数段の切り込みが入った常閉型の舌片扉部がそれぞれ形成され、これにより宙乗機Ｂの後部を除いた当該宙乗機Ｂの周囲の送電線Ｃが、前記ネット６で包囲される。【選択図】        図１
2010268634.tif 000002
【特許請求の範囲】
【請求項１】
１本の送電線の前後に走行輪をかけ、これらの２つの走行輪から吊下げた吊り部材の下端の間に、作業者の座板を前記送電線と略平行に渡して成る宙乗機の周囲に、ネットを張った落下物防止装置において、
前記座板の周囲に取り付ける水平フレームと、当該水平フレームの左右の前方に立設した側面フレームと、当該左右の側面フレームの前端の間に設けた前面枠体と、前記水平フレームの左右後端に立設した後端支柱と、前記左右の各側面フレームの前端柱の上端と前記左右の各後端支柱の上端に前後左右の支柱部を接続した略伏椀状の天蓋枠体と、これらの枠体や支柱を被うネットから成り、
前記水平フレームは、前記座板の長手方法と直角な横幅より大きい間隔を有する平行な二本の水平主部材が設けられ、これらの二本の水平主部材の前後端に、これらの水平主部材の左右に張り出す前方水平部材と後方水平部材が設けられ、前記二本の水平主部材の前部及び後部に、前記座板の前後部を、当該座板の長手方向に対して直角方向に当該座板を上下から挟持自在な挟持部材が設けられ、
前記側面フレームは、前記水平枠体の前方水平部材の左右両端からそれぞれ前方へ突出した略四辺形の側面フレームとし、
前記前面枠体は中央部で縦に二分され、当該二分された各端縁に、上下に複数段の切り込みが入り、前記送電線及び当該電線付属品の押圧により左右に開く合成樹脂から成る常閉型の舌片扉部がそれぞれ形成され、
前記側面フレームの前端柱から後端支柱まで、及び前記扉枠体の舌片扉体を除く左右の側面フレームの前面から底面までネットで被われ、前記天蓋枠体の前面、上面、後面及び側面がネットで被われ、前記前方水平部材と後方水平部材とで形成された四辺形部を上端縁とした袋状のネットが設けられ、これにより宙乗機の後部を除いた当該宙乗機の周囲の送電線が、前記ネットで包囲されることを特徴とする、宙乗機全面ネット型落下物防止装置。
【請求項２】
前記前面枠体は、前記左右の側面フレームの各前端柱にそれぞれの一側を回転自在に支持された左右の扉枠体の自由端を相互に着脱自在に接続して成り、この左右の扉枠体の突き合わされた端縁部に前記舌片扉部を設け、前記天蓋枠体は、前記左右の各側面フレームの前端柱の上端と前記左右の各後端支柱の上端に天蓋部材を夫々着脱自在に接続し、これらの左右の天蓋部材の間に、折曲自在な複数の連結部材を相互に間隔をあけて渡したことを特徴とする、請求項１に記載の宙乗機全面ネット型落下物防止装置。
【請求項３】
前記各扉枠体はその軸支部にロック機構が設けられ、当該ロック機構は、各扉枠体の下端枠に設けた二つの孔に逆Ｕ字金具を上から挿入し、前記一方の孔の下から突出した当該逆Ｕ字金具の一端を前記前端柱から突出固定した突出片の孔に挿入自在とし、前記下端枠の他方の孔の下から突出した当該逆Ｕ字金具の他端にバネを巻き付け、当該バネの力で常時前記逆Ｕ字金具の一端を前記突出片の孔に挿入されるよう付勢されていることを特徴とする、請求項２に記載の宙乗機全面ネット型落下物防止装置。
【発明の詳細な説明】
【技術分野】
【０００１】
この発明は、架空送電線に懸架されて走行する送電線作業用の宙乗機に、着脱自在に取り付けて送電線上の作業における落下物を捕集する、全面ネット型落下物防止装置に関するものである。
【背景技術】
【０００２】
架空送電線路の架設、保守、点検に際し、作業者が乗って、人力又は動力を用いて架空線上を移動しながら作業をする宙乗機に取り付け、電線付属品、例えば、ダンパー、難着雪リング等の取付け、取り外し時の当該電線付属品や工具の落下を防止するための装置が種々開発されている。
【０００３】
例えば、特許文献１のように、宙乗機の作業者が座る座板の周囲に袋状のネットを設け、さらに、その前部にも袋状のネットを連設し、これらのネットを吊ロープで吊るしているものがある。また、特許文献２は、宙乗機の作業者が座る座板の下方に位置して組み付けた取付部材を介してフレーム枠体が前記座板を囲みかつその上方に位置して組み合わされ、前記フレーム枠体を宙乗機との間に掛け合わせた水平保持ワイヤにより水平状態に保持し、上端部を前記フレーム枠体に取り付けられた袋状のネット体が前記座板のやや上方位置から宙乗機を取り囲むように設けられている。
【０００４】
【特許文献１】実開昭６３−４０１０７号公報
【特許文献２】登録実用新案第３１４０８８０号公報
【発明の開示】
【発明が解決しようとする課題】
【０００５】
しかしながら、前記特許文献１及び２のものは、宙乗機の作業者が座る座板よりは上方に、落下物捕集用のネット体の開口部が位置しているが、いずれも送電線より下方にネットの開口部が位置している。そこで、作業者が当該宙乗機で作業をした場合、例えば、送電線に取り付けられている難着雪リングのように多少の弾性があり、軽量で飛び跳ね易い電線付属品は、これらの取り外し作業の際、送電線の左右前後の上方に飛散してしまい、ネット体の外へこぼれてしまう恐れがある。従って、これらの従来のネット体では全ての落下物の捕集はできない欠点がある。
【０００６】
この発明はこのような従来技術を考慮したものであって、宙乗機の上方や前方に、送電線の上方まで被うネットを設け、宙乗機での作業の際の電線付属品や工具が飛散したり、落下してもこれらをすべて捕集できる、全面ネット型落下物防止装置を提供することを目的としたものである。
【課題を解決するための手段】
【０００７】
そこで、請求項１の発明は、１本の送電線の前後に走行輪をかけ、これらの２つの走行輪から吊下げた吊り部材の下端の間に、作業者の座板を前記送電線と略平行に渡して成る宙乗機の周囲に、袋状のネットを設けた落下防止装置において、前記座板の周囲に取り付ける水平フレームと、当該水平フレームの左右の前方に立設した側面フレームと、当該左右の側面フレームの前端の間に設けた前面枠体と、前記水平フレームの左右後端に立設した後端支柱と、前記左右の各側面フレームの前端柱の上端と前記左右の各後端支柱の上端に前後左右の支柱部を接続した略伏椀状の天蓋枠体と、これらの枠体や支柱を被うネットから成り、前記水平フレームは、前記座板の長手方法と直角な横幅より大きい間隔を有する平行な二本の水平主部材が設けられ、これらの二本の水平主部材の前後端に、これらの水平主部材の左右に張り出す前方水平部材と後方水平部材が設けられ、前記二本の水平主部材の前部及び後部に、前記座板の前後部を、当該座板の長手方向に対して直角方向に当該座板を上下から挟持自在な挟持部材が設けられ、前記側面フレームは、前記水平枠体の前方水平部材の左右両端からそれぞれ前方へ突出した略四辺形の側面フレームとし、前記前面枠体は中央部で縦に二分され、当該二分された各端縁に、上下に複数段の切り込みが入り、前記送電線及び当該電線付属品の押圧により左右に開く合成樹脂から成る常閉型の舌片扉部がそれぞれ形成され、前記側面フレームの前端柱から後端支柱まで、及び前記扉枠体の舌片扉体を除く左右の側面フレームの前面から底面までネットで被われ、前記天蓋枠体の前面、上面、後面及び側面がネットで被われ、前記前方水平部材と後方水平部材とで形成された四辺形部を上端縁とした袋状のネットが設けられ、これにより宙乗機の後部を除いた当該宙乗機の周囲の送電線が、前記ネットで包囲される宙乗機全面ネット型落下物防止装置とした。
【０００８】
また、請求項２の発明は、請求項１の発明において、前記前面枠体は、前記左右の側面フレームの各前端柱にそれぞれの一側を回転自在に支持された左右の扉枠体の自由端を相互を着脱自在に接続して成り、この左右の扉枠体の突き合わされた端縁部に前記舌片扉部を設け、前記天蓋枠体は、前記左右の各側面フレームの前端柱の上端と前記左右の各後端支柱の上端に天蓋部材を夫々着脱自在に接続し、これらの左右の天蓋部材の間に、折曲自在な複数の連結部材を相互に間隔をあけて渡した、宙乗機全面ネット型落下物防止装置とした。
【０００９】
また、請求項３の発明は、請求項２の発明において、前記各扉枠体は、その軸支部にロック機構が設けられ、当該ロック機構は、各扉枠体の下端枠に設けた二つの孔に逆Ｕ字金具を上から挿入し、前記一方の孔の下から突出した当該逆Ｕ字金具の一端を、前記前端柱から突出固定された突出片の孔に挿入自在とし、前記下端枠の他方の孔の下から突出した当該逆Ｕ字金具の他端にバネを巻き付け、当該バネの力で常時前記逆Ｕ字金具の一端が前記突出片の孔に挿入されるよう付勢されている、宙乗機全面ネット型落下物防止装置とした。
【発明の効果】
【００１０】
請求項１の発明によれば、当該作業用落下防止装置を装着した宙乗機を用いて、当該宙乗機に乗った作業者が送電線の難着雪リング等を取り外す作業において、作業者が座っている座板の前方の前面、上面、下面及び左右側面がネットで被われた空間が形成され、前記難着雪リングを工具で取り外す際、難着雪リングや工具が落下しても当該ネットでこれを捕集し、送電線の下の地面等まで落下しない。特に、前記座板の前方の前面の舌片扉部から送電線や電線付属品が前記空間に導入されるが、当該舌片扉部は常時閉まっているので、当該箇所から前記難着雪リング等が外にこぼれる恐れはない。また、座板及び座板の前方の天井部もネットで被われているため、前記工具による難着雪リングの取り外しの際、当該難着雪リングが飛び跳ねても、周囲がネットで被われているため当該ネットで捕集される。
【００１１】
また、請求項２の発明によれば、前面枠体は、左右の開閉自在な扉枠体で形成され、また、天蓋枠体は左右の天蓋部材を折曲自在な連結部材で設け、前記天蓋部材を左右の各側面フレームの前端柱の上端と前記左右の各後端支柱の上端に夫々着脱自在に接続しているため、当該作業用落下防止装置を装着した宙乗機を送電線に取り付ける際、前記左右の扉枠体を開き、また、左右一方の天蓋部材を左右の各側面フレームの前端柱の上端及び前記左右の各後端支柱の上端から外し、各連結部材を折畳めば、宙乗機の左右一方の側部が上から空き、当該宙乗機の側部から送電線に当該宙乗機を取り付け易い。
【００１２】
また、請求項３の発明によれば、左右の開閉自在な扉枠体はロック機構で常時閉状態で固定されているが、このロック機構を解除するには、各逆Ｕ字金具をバネの力に抗して上方に引っ張れば、容易にロックが解除され、当該扉枠体を開くことができる。
【発明を実施するための最良の形態】
【００１３】
この発明は、宙乗機の座板の周囲に取り付ける水平フレームと、当該水平フレームの左右の前方に立設した側面フレームと、当該左右の側面フレームの前端の間に設けた前面枠体と、前記水平フレームの左右後端に立設した後端支柱と、前記左右の各側面フレームの前端柱の上端と前記左右の各後端支柱の上端に前後左右の支柱部を接続した略伏椀状の天蓋枠体と、これらの枠体や支柱を被うネットから成り、前記水平フレームは、前記座板の長手方法と直角な横幅より大きい間隔を有する平行な二本の水平主部材が設けられ、これらの二本の水平主部材の前後端に、これらの水平主部材の左右に張り出す前方水平部材と後方水平部材が設けられ、前記二本の水平主部材の前部及び後部に、前記座板の前後部を、当該座板の長手方向に対して直角方向に当該座板を上下から挟持自在な挟持部材が設けられ、前記側面フレームは、前記水平枠体の前方水平部材の左右両端からそれぞれ前方へ突出した略四辺形の側面フレームとし、前記前面枠体は中央部で縦に二分され、当該二分された各端縁部に、上下に複数段の切り込みが入り、前記送電線及び当該電線付属品の押圧により左右に開く合成樹脂から成る常閉型の舌片扉部がそれぞれ形成され、前記側面フレームの前端柱から後端支柱まで、また前記扉枠体の舌片扉体を除く左右の側面フレームの前面から底面までネットで被われ、前記天蓋枠体の前面、上面、後面及び側面がネットで被われ、前記前方水平部材と後方水平部材とで形成された四辺形部を上端縁とした袋状のネットが設けられ、これにより宙乗機の後部を除いた当該宙乗機の周囲の送電線が、前記ネットで包囲される宙乗機全面ネット型落下物防止装置とした。
【実施例１】
【００１４】
以下、この発明の実施例１を図に基づいて説明する。
図１は、この発明の落下防止装置の使用状態における側面図、図２は同正面図、図３は、宙乗機の座板に取り付ける水平枠体の平面図、図４は同水平枠体の正面図、図５は同水平枠体の側面図、図６はこの発明の前面枠体の正面図である。
【００１５】
まず、この発明の落下防止装置Ａを取り付ける宙乗機Ｂは、１本の送電線Ｃの前後に走行輪Ｂ１をかけ、これらの２つの走行輪Ｂ１から吊下げた吊り部材Ｂ２の下端の間に、作業者の座る座板Ｂ３を、前記送電線Ｃと略平行に渡して成る。
【００１６】
この発明の落下防止装置Ａは、前記座板Ｂ３の周囲に取り付ける水平フレーム１と、当該水平枠体１の左右の前方に立設した側面フレーム２と、当該左右の側面フレーム２の前端の間に設けた前面枠体３と、前記水平フレーム１の左右後端に立設した後端支柱４と、前記各側面フレーム２の前端柱２ａの上端と前記各後端支柱４の上端に前後の支柱を接続した天蓋枠体５と、これらの枠体や支柱を被うネット６から成る。
【００１７】
前記水平フレーム１は、前記座板Ｂ３の長手方法と直角な横幅よりやや大きい間隔を有する平行な二本の水平主部材１ａを設け、これらの二本の水平主部材１ａの前後端に、これらの水平主部材１ａの左右に張り出す前方水平部材１ｂと後方水平部材１ｃとを設け、前記二本の水平主部材１ａの前部及び後部に、前記座板Ｂ３の前後部を、当該座板Ｂ３の長手方向に対して直角方向に当該座板Ｂ３を上下から挟持自在な挟持部材１ｄを設けている。
【００１８】
これらの各挟持部材１ｄは、一端が前記一方の水平主部材１ａに、他端が他方の水平主部材１ａに固定され、かつこれらの水平主部材１ａの上方に位置し、当該他方の水平主部材１ａより外方に突出した固定片１ｅを設け、一端が前記一方の水平主部材１ａの下面に蝶番によって回転自在に支持された可動片１ｆを設け、この可動片１ｆの前記他方の水平主部材１ａの下面より外方に突出した自由端に回転自在なボルト１ｇの一端を設け、当該ボルト１ｇの他端を前記固定片１ｅの一端に設けた切り溝に入れて当該ボルト１ｇの端部に螺着した蝶ナット１ｈを締め付ける構成とし、前記可動片１ｆの上面に、前記座板Ｂ３の下面を当接する当接体（図示省略）を設け、前記固定片１ｅと可動片１ｆにより前記座板Ｂ３を挟持するものである。また、上記各固定片１ｅには、上下に貫通した長孔１ｉが設けられ、前記座板Ｂ３の釘頭Ｂ３１  がこれらの各長孔１ｉに入り、これがストッパとなって、座板Ｂ３の長手方向に前記各挟持部材１ｄがずれたりしない。
【００１９】
前記側面フレーム２は、前記水平フレーム１の前方水平部材１ｂの左右両端に設けた継ぎ手７を介して前方に突き出し、その先端から折り曲げて垂直にのびた前端柱２ａと前記前端柱２ａの上端部から後方に伸びてそこから折り曲げられて垂直下方に前記継ぎ手７に伸びた後端柱２ｂとで変形した四辺形を形成し、この対角線位置に支持棒２ｃを設けたものである。そして、前記前端柱２ａの上端は，宙乗機Ｂの座板Ｂ３に前記水平フレーム１の各挟持部材１ｄを取り付け、当該宙乗機Ｂを送電線Ｃに取り付けて使用した場合、送電線Ｃの上方に位置する構成となっている。
【００２０】
前記前面枠体３は、前記左右の側面フレーム２の各前端柱２ａにそれぞれの一側を回転自在に設けれた左右２つの扉枠体３ａから構成されている。これらの扉枠体３ａはそれぞれの上端枠３ｂ、下端枠３ｃを有し、上端枠３ｂ相互の自由端で、接続ピン３ｄの差込により２つの扉枠体３ａ相互を着脱自在に接続している。これらの各扉枠体３ａの突き合わされた端縁部は、上下に複数段の切り込みの入った常閉型の舌片扉部３ｅでそれぞれ形成されている。この舌片扉部３ｅは前記送電線Ｃ及び電線付属品の押圧により左右に一旦開くが、これらがなくなると弾性により閉じる合成樹脂から成るものである。また、左右の各扉枠体３ａの下端枠３ｃには、ロック機構８が設けられ、常時各扉枠体３ａを閉じた状態に固定している。
【００２１】
このロック機構８は、各扉枠体３ａの前端柱２ａの軸支部に近接した下端枠３ｃに一体の設けられた肉厚部８ａの上下面を貫通する二つの孔８ｂを設け、この二つの孔８ｂに逆Ｕ字金具８ｃを上から挿入し、この孔８ｂの下から突出した逆Ｕ字金具８ｃの一端は、前記前端柱２ａに固定された突出片８ｄの孔８ｅに挿入自在とし、前記孔８ｂの下から突出した逆Ｕ字金具８ｃの他端は、前記一端より下方に伸びて外周にバネ８ｆが巻かれ、下端で前記バネ８ｆを支持するストッパ８ｇを設けている。この前記バネ８ｆの力により常時逆Ｕ字金具８ｃを押し下げ、その一端を前記突出片８ｄの孔８ｅに挿入している。これにより各扉枠体３ａは閉じた状態を維持している。
【００２２】
そして、当該各扉枠体３ａを開く場合は、前記ピン３ｄを上げて各扉枠体３ａの接続を解き、さらに、前記逆Ｕ字金具８ｃを、各バネ８ｆの力に抗して持ち上げ、逆Ｕ字金具８ｃの一端を前記突出片８ｄの孔８ｅから抜く。これにより各扉枠体３ａは回転フリーとなる。
【００２３】
また、前記略伏椀状の天蓋枠体５は、前記左右の各側面フレーム２の前端柱２ａの上端と前記左右の各後端支柱４の上端との間に渡され、前記前端柱２ａ及び後端支柱４に接続する前後の支柱部及びこれらの間の山形水平部を有する左右の天蓋部材５ａと、これらの左右の天蓋部材５ａの間に渡した、折曲自在な複数の連結部材５ｂとから構成されている。
【００２４】
また、前記側面フレーム２の前端柱２ａから後端支柱４まで前記ネット６ａで被われ、前記側面フレーム２の後端柱２ｂから後端支柱４まではネット６ａの上端に水平ロープ９が渡されている。また、前記各扉枠体３ａの舌片扉体を除く左右の側面フレーム２の前面から底面まで前記ネット６ｂで被われ、前記天蓋枠体５の前面、上面、後面及び側面をネット６ｃで被われている。また、前記前方水平部材１ｂと後方水平部材１ｃとで形成された四辺形部を上端縁とした袋状のネット６ｄが設けられている。これにより宙乗機Ｂの後部を除いた当該宙乗機Ｂの周囲の送電線Ｃが、前記ネット６で包囲されている。
【００２５】
この落下防止装置Ａを取り付けた宙乗機Ｂを送電線Ｃに取り付けるには、前述のように、前面枠体３の前記ピン３ｄを抜き、各ロック機構８を解除して左右の扉枠体３ａを開ける。また、天蓋枠体５の左右一方の天蓋部材５ａを側面フレーム２の前端柱２ａの上端及び後端支柱４の上端から抜き、各連結部材５ｂを折畳んで他方の天蓋部材５ａに重ねる。これにより宙乗機Ｂの側部があき、ここから当該落下防止装置Ａごと宙乗機Ｂを送電線Ｃの脇にもっていき、宙乗機Ｂの二つの走行輪Ｂ１を送電線Ｃの前後に掛ける。そして、前記一方の天蓋部材５ａを広げて各支柱部を側面フレーム２の前端柱２ａの上端及び後端支柱４の上端に接続し、また、左右の扉枠体３ａを閉じて、ピン３ｄを差してこれらを接続し、各ロック機構８をロックする。
【００２６】
作業者が、宙乗機Ｂの座板Ｂ３に座って、宙乗機Ｂの前方の送電線Ｃを手繰って、宙乗機Ｂを移動させ、例えば、難着雪リングを取り外す作業においては、当該難着雪リングが、この落下防止装置Ａの中に入ってきたら、工具によりこれを外す。その際、当該難着雪リングは前面枠体３と側面フレーム２及び天蓋枠体５によって囲まれた空間に位置するため、周囲がネットで被われ、外れた
難着雪リングが周囲に飛び跳ねても周囲のネットで捕集される。また、当該作業中に工具を落としても、下がネット６で被われているためこれも捕集される。
また、図１に示すように、送電線Ｃに捻じれ防止ダンパーＤが装着されていても、左右の扉枠体３ａの舌片扉部３ｅから当該落下防止装置Ａ内に入り、ネット６のない宙乗機Ｂの後方から出ていくことができ、宙乗機Ｂの走行に支障をきたさない。
【００２７】
なお、前記実施例で、部材相互を着脱自在に接続しているものがあるが、これらは、部材の一方に孔を設けたり、ソケットを設け、他方の部材をこれらの孔やソケットに嵌め入れ、さらに前記一方の部材の脇から、孔又はソケットに入った他方の部材をボルトで押圧したリ、ピンを通して固定するもので、容易に接続や取り外しができる構成である。
【図面の簡単な説明】
【００２８】
【図１】この発明の実施例１の使用状態における側面図である。
【図２】この発明の実施例１の使用状態における正面図である。
【図３】この発明の実施例１の水平枠体の平面図である。
【図４】この発明の実施例１の水平枠体の正面図である。
【図５】この発明の実施例１の水平枠体の側面図である。
【図６】この発明の実施例１の前面枠体の正面図である。
【図７】この発明の実施例１の扉枠体のロック機構の一部断面正面図である。
【図８】この発明の実施例１の天蓋部材の側面図である。
【図９】この発明の実施例１の天蓋枠体の背面図である。
【符号の説明】
【００２９】
Ａ      落下防止装置              Ｂ      宙乗機
Ｂ１    走行輪                    Ｂ２    吊り部材
Ｂ３    座板                      Ｃ      送電線
Ｄ      捻じれ防止ダンパー
１      水平枠体                    １a    水平主部材
１ｂ    前方水平部材                １ｃ    後方水平部材
１ｄ    挟持部材                    １ｅ    固定片
１ｆ    可動片                      １ｇ    ボルト
１ｈ    蝶ナット                    
２      側面フレーム                ２ａ    前端柱
２ｂ    後端柱                      ２ｃ    支持棒
３      前面枠体                    ３ａ    扉枠体
３ｂ    上端枠                      ３ｃ    下端枠
３ｄ    接続ピン                    ３ｅ    舌片扉部
４      後端支柱                    ５      天蓋枠体
５ａ    天蓋部材                    ５ｂ    連結部材
６      ネット                      ６ａ    ネット
６ｂ    ネット                      ６ｃ    ネット
６ｄ    ネット                      ７      継ぎ手
８      ロック機構                  ８ａ    肉厚部
８ｂ    孔                          ８ｃ    逆Ｕ字金具
８ｄ    突出片                      ８ｅ    孔
８ｆ    バネ                        ８ｇ    ストッパ
９    水平ロープ
【図１】
2010268634.tif 000003
【図２】
2010268634.tif 000004
【図３】
2010268634.tif 000005
【図４】
2010268634.tif 000006
【図５】
2010268634.tif 000007
【図６】
2010268634.tif 000008
【図７】
2010268634.tif 000009
【図８】
2010268634.tif 000010
【図９】
2010268634.tif 000011